(57)【特許請求の範囲】
【請求項１】
走査電極を有する基板と信号電極を有する基板との間に液晶を介在させてなる液晶素子の駆動方法において、
前記走査電極を選択する選択期間を複数の期間に分割して、当該各分割された選択期間に、前記走査電極に走査電圧を印加し、
前記選択期間を分割した期間は１フレーム内に分けて配置され、当該各分割された選択期間に、表示データの値に応じて４以上の異なる電圧値の中から選択した電圧を、前記信号電極に印加して階調表示を行うことを特徴とする液晶素子の駆動方法。
【発明の詳細な説明】
【０００１】
【産業上の利用分野】
本発明は液晶素子の駆動方法、特に階調表示を行うための駆動方法に関する。
【０００２】
【従来の技術】
従来、液晶素子の駆動方法の１つとして、電圧平均化法によるマルチプレクス駆動が知られている。この駆動方法は例えば単純マトリックス型の液晶素子等においては、一般に走査電極を１ラインづつ順次選択して走査電圧波形を印加すると共に、その選択された走査電極上の各画素がオンかオフかによって、それに応じた信号電極波形を各信号電極に印加することによって駆動するものである。
【０００３】
また上記のような駆動方法を用いていわゆる階調表示を行う場合の手法としては、例えば各画素が複数のフレームのうちでオン・オフされる回数を異ならせることによって階調表示を行ういわゆるフレーム階調や、図３４に示すように印加電圧波形のパルス幅を変えることによって階調表示を行うパルス幅変調階調表示等が知られている。
【０００４】
【発明が解決しようとする課題】
ところが、上記前者のフレーム階調表示は、各画素に印加される電圧の繰り返し周期が長くなってフリッカ等の表示のチラツキが生じ易く、また後者のパルス幅変調階調表示は印加電圧波形のなまりによるクロストークが生じ易い等の問題がある。
本発明は上記の問題点に鑑みて提案されたもので、上記のような表示のチラツキやクロストーク等を生じることなく良好に階調表示を行うことのできる液晶素子の駆動方法を提供することを目的とする。
【０００５】
【課題を解決するための手段】
上記の目的を達成するために本発明による液晶素子の駆動方法は、以下の構成としたものである。即ち、走査電極を有する基板と信号電極を有する基板との間に液晶を介在させてなる液晶素子の駆動方法において、前記走査電極を選択する選択期間を複数の期間に分割して、当該各分割された選択期間に、前記走査電極に走査電圧を印加し、前記選択期間を分割した期間は１フレーム内に分けて配置され、当該各分割された選択期間に、表示データの値に応じて４以上の異なる電圧値の中から選択した電圧を、前記信号電極に印加して階調表示を行うことを特徴とする。
【０００６】
【作用】
本発明による液晶素子の駆動方法は、上記のように走査電極を選択する選択期間を複数の期間に分割して、その各分割された選択期間に、上記走査電極に走査電圧を印加し、上記選択期間を分割した期間は１フレーム内に分けて配置され、当該各分割された選択期間に、表示データの値に応じて４以上の異なる電圧値の中から選択した電圧を、前記信号電極に印加して階調表示を行うようにしたので、繰り返し周期が長くなってチラツキを生じたり、印加電圧波形のなまりによるクロストークの発生が防止され、良好に階調表示を行うことが可能となる。
【０００７】
【実施例】
以下、本発明による液晶素子の駆動方法を、図に示す実施例に基づいて具体的に説明する。
【０００８】
〔実施例１〕
一般に、２ｎ  の階調表示を行う場合、１選択期間Δｔをｎ分割（ｎは階調ビット数）し、その各分割期間Δｔ１  に表示データの各ビットに対応して重み付けした電圧を印加する。例えば、ｎ＝３として、２ｎ  ＝２３  ＝８、すなわち８階調の表示を行う場合には、１選択期間Δｔを３分割し、その各分割期間Δｔ１  に表示データの各ビットに対応して重み付けした電圧を印加すればよい。
【０００９】
図１は非点灯を含む８種類の表示データに対応して１選択期間Δｔ中に信号電極に印加する電圧波形の一例を示す。
図１において、表示データは２進法により３桁の数字で表したもので、非選択時すなわち（０００）のときは、同図（ａ）に示すように３つに分割した期間に順にＶＹ４・ＶＹ２・ＶＹ１の電圧を印加する。その電圧比は、ＶＹ１：ＶＹ２：ＶＹ４＝１：２：４の関係にある。そして表示データ中のいずれかの桁が１のときは、それに対応した分割期間中の信号電圧波形の正負を反転させて印加するようにしたものである。
【００１０】
なお上記図１の場合は走査電極に印加される電圧が正側の場合に信号電極に印加される電圧を示したものであるが、いわゆる交流駆動で走査電極の正負を逆転させたときは、図１と正負が逆の信号電圧を印加する。
【００１１】
図２は上記図１の信号電圧波形を用いて図３に示す８階調の表示を行う場合の印加電圧波形の一例を示すもので、図２中のＸ１  ・Ｘ２  はそれぞれ走査電極Ｘ１  ・Ｘ２  に印加される走査電圧波形、Ｙ１  は信号電極Ｙ１  に印加される信号電圧波形、Ｘ１  −Ｙ１  は走査電極Ｘ１  と信号電極Ｙ１  との交点の画素に印加される電圧波形を示す。
【００１２】
図３において走査電極Ｘ１  と信号電極Ｙ１  との交点の画素に表示すべきデータは（０１０）で、それに対応する信号電圧波形は図１の（ｃ）であり、走査電極Ｘ１  が選択されている期間中、信号電極Ｙ１  には図１の（ｃ）と同じ波形の信号電圧が印加されている。次いで走査電極Ｘ２  が選択されたとき、信号電極Ｙ１  には図３における走査電極Ｘ２  と信号電極Ｙ１  との交点の表示データ（１０１）に対応した図１の（ｆ）と同じ波形の信号電圧が、引き続き印加されている。
【００１３】
上記の要領で選択されている走査電極上の画素の表示データに応じた波形の信号電圧を各信号電極Ｙ１  〜Ｙｎ  に印加して行く。そして、全ての走査電極Ｘ１  〜Ｘｎ  が選択されたところで、１つのフレームＦが終了し、再び走査電極Ｘ１  から順に選択して行き、これを順次繰り返すものである。なおフレームが変わる毎に走査電極Ｘ１  および信号電極Ｙ１  に印加する電圧の極性（正負）を反転するようにして、いわゆる交流駆動している。なお１フレーム内で極性を反転させることもある。
【００１４】
上記のように１選択期間Δｔを複数に分割し、その各分割期間Δｔ１  に表示データの各ビットに対応して重み付けした電圧を印加するようにしたので、階調数の割りに使用電圧レベル数や選択期間の分割数が少なくて済み、各画素に印加される電圧の繰り返し周期が長くなってフリッカ等が生じたり、印加電圧波形のなまりによるクロストーク等が生じることなく、良好に階調表示を行うことができるものである。
【００１５】
なお上記の電圧比ＶＹ１：ＶＹ２：ＶＹ４は、必ずしも厳密に１：２：４の関係にしなければならないというものではなく、また選択期間Δｔも必ずしも厳密に等分に分割する必要はなく、例えば液晶の特性等に応じて適宜調整するようにしてもよい。後述する実施例においても同様である。
【００１６】
〔実施例２〕
上記実施例は１選択期間を複数に分割し、その分割した選択期間を連続的に実行するようにしたが、上記の分割した選択期間を１フレームＦ内で複数回に分けて実行するようにしてもよい。
例えば、先ず表示データの上位ビットを全ての走査電極について実行した後、次のビットを全ての走査電極について実行していく、このようにして各ビット毎に全ての走査電極について実行して行くことができる。この場合、１つのビットについて全ての走査電極が選択されるまでを１フィールドｆとすれば、１フレームＦ内に複数のフィールドｆが繰り返され、各走査電極には各フィールド毎に分割した選択期間Δｔ１  が設けられたことになる。
【００１７】
図４は前記図３の表示データを全ての走査電極についてビット毎に実行した実施例の印加電圧波形である。
本例は図３の表示データを上位ビットから順番に３つのフィールドに分けて実行したもので、前記図２との対比からも明らかなように、走査電極Ｘ１  の選択期間Δｔは前記例の場合と同様に３つに分割され、その分割された選択期間Δｔ１  は１フレームＦ内に一定の時間的間隔をおいて分散して設けられている。なお図４においては走査電極Ｘ１  に印加する電圧を各フィールド毎に正負を反転し、それに伴って信号電極Ｙ１  も正負反転させることによって１フレーム内で交流駆動させている。他の走査電極Ｘ２  …についても同様である。
【００１８】
すなわち走査電極Ｘ１  の最初の分割された選択期間Δｔ１  では、図３の表示データにおける最上位のビット、図の場合は括弧内の左側のビット（走査電極Ｘ１  上の表示データにおいては０）に対応する信号電圧波形を各信号電極Ｙ１  …に印加し、次の走査電極Ｘ２  が選択されたときには、その走査電極上の表示データの最初のビットに対応する信号電圧波形を各信号電極Ｙ１  …に印加する。
【００１９】
これを全ての走査電極について実行したのち再び最初の走査電極Ｘ１  に戻り、各走査電極に印加する電圧の正負を反転させると共に、２番目の分割された選択期間に次のビットに対応した信号電圧波形を各信号電極Ｙ１  …に印加する。このようにして各ビット毎に全ての走査電極について順に実行し、これを１フィールドとして、全てのビットについて終了するまでの期間を１フレーム内で実行するものである。
【００２０】
〔実施例３〕
前記実施例１においては、１選択期間を階調ビット数ｎに分割し、ＶＹ１・ＶＹ２・ＶＹ４の３レベルの信号電圧を信号電極に選択的に印加するようにしたが、上記の分割数を増やすことによって信号電圧のレベル数を減らすこともできる。
例えば液晶表示パネル等の液晶素子を駆動する場合の実効電圧は、一般に電圧値と印加時間（パルス幅）とで決定され、高い電圧を短時間印加しても、低い電圧を長時間印加しても同等に駆動させることができる。
【００２１】
例えば、上記複数個の電圧レベルのうち、高いレベルの電圧を用いる代わりにそれよりも低いレベルの電圧を使用して印加時間を長くしても同等に駆動させることが可能である。
従って、前記図１におけるＶＹ４の電圧レベルを用いる代わりにＶＹ２の電圧レベルを用い、その印加時間を長くしても前記実施例１の場合と同様に駆動することができ、それによって信号電圧のレベル数を減らすことができる。
【００２２】
図５は上記の要領で信号電圧のレベル数を減らす場合の各階調における印加電圧波形の一例を示す。
前記図１の場合は１選択期間Δｔをｎ分割、具体的には３分割したのに対し、本例は１選択期間を（ｎ＋１）分割、具体的には４分割し、その始めの２つの分割期間を表示データの上位ビットの電圧印加時間に当てたものである。
【００２３】
すなわち上位ビットの電圧レベルは中間ビットと同じＶＹ２を用い、印加時間は中間ビットの２倍になるようにしたものである。その結果、液晶素子等に印加される電圧値と時間とは、中間ビットの２倍、下位ビットの４倍になり、各ビットに対する重み付けの比は、前記図１の場合と同じように、４：２：１の関係になる。
【００２４】
図６は上記図５の印加電圧波形を用い、前記図３の表示データに基づいて前記実施例１と同様の８階調の表示を行う場合の印加電圧波形であり、前記実施例１の場合よりも信号電極への印加電圧レベルを１つ少なくした上で実施例１の場合と同等に駆動させることができる。
【００２５】
なお上記実施例は図１における最も高い電圧レベルＶＹ４を無くしたが、図１における中間ビットに対する電圧レベルとして下位ビットの電圧レベルＶＹ１を用いると共に、その印加時間を下位ビットの２倍にすることによって中間ビットに対する電圧レベルＶＹ２を無くすこともできる。
さらに、２以上の電圧レベルを削減することも可能であり、特に階調数が多い場合に有効である。
【００２６】
〔実施例４〕
上記実施例３においても実施例２の場合と同様に分割した選択期間を１フレームＦ内で複数回に分けて実行することも可能であり、図７はその一例を示す印加電圧波形である。
即ち、本例は上記実施例３において１選択期間をｎ＋１、具体的には４つに分割した選択期間を、実施例２の場合と同様に１フレーム内で複数回、具体的には４回のフィールドｆに分けて実行したものである。ただし２回もしくは３回にわけることもできる。
なお上記実施例も前記図４の実施例と同様に、走査電極Ｘ１  に印加する電圧を各フィールド毎に正負を反転し、それに伴って信号電極Ｙ１  も正負反転させることによって１フレーム内で交流駆動させている。
【００２７】
〔実施例５〕
前述のように液晶素子等を駆動する場合の実効電圧は、一般に印加される電圧値と印加時間（パルス幅）とによって決定され、信号電極への印加電圧の電圧値と印加時間とを適宜組み合わせることによって所望の階調表示を行うことができる。
図８は信号電極への印加電圧の電圧値と印加時間とを適宜組み合わせることよって１６階調の表示を行う場合の各階調における信号電極への印加電圧波形の一例を示す。
【００２８】
図９は上記図８の電圧波形を用い、前記図１０の表示データに基づいて１６階調の表示を行う場合の印加電圧波形の一例を示す。
走査電極Ｘ１  …には図９に示すような走査電圧ＶＸ４・ＶＸ２・ＶＸ１が印加され、走査電極Ｘ１  が選択されたとき信号電極Ｙ１  には図１０の表示データに基づいて（００１０）に対応する図８の（ｃ）の波形、走査電極Ｘ２  の選択時は（０１０１）に対応する図８の（ｆ）の波形…が順に印加されていく。
上記の走査電圧ＶＸ４・ＶＸ２・ＶＸ１の比は、本例においてはＶＸ１：ＶＸ２：ＶＸ４＝１：２：４の関係に設定されているが、例えば液晶の特性等に応じて適宜調整するようにしてもよい。
【００２９】
上記のように信号電極への印加電圧の電圧値と時間とを適宜組み合わせることよって所望の階調表示を行うことができるもので、特に階調数の多い場合でも少ない電圧レベルで階調表示を行うことが可能となる。
【００３０】
〔実施例６〕
上記実施例１〜５は信号電極に印加する電圧レベルを変えて階調表示を行うようにしたが、走査電極に印加する電圧レベルを変えて階調表示を行うこともできる。
図１１は走査電極に印加する電圧レベルを変えて階調表示を行う場合の走査電極への印加電圧の一例を示す電圧波形図、図１２の（ａ）〜（ｈ）は上記の走査電圧に対して信号電極に印加する８つの階調の電圧波形図である。
【００３１】
図１３は上記図１１および図１２の電圧波形を用いて前記実施例１と同様に前記図３に示す８階調の表示を行う場合の印加電圧波形の一例を示すもので、図１３において、Ｘ１  ・Ｘ２  はそれぞれ走査電極Ｘ１  ・Ｘ２  に印加される走査電圧波形、Ｙ１  は信号電極Ｙ１  に印加される信号電圧波形、Ｘ１  −Ｙ１  は走査電極Ｘ１  と信号電極Ｙ１  との交点の画素に印加される電圧波形である。
【００３２】
各走査電極Ｘ１  …には、選択時に図１１の波形の走査電圧が印加され、信号電極Ｙ１  には図３の表示データに応じて（０１０）に対応する図１２の（ｃ）の波形、（１０１）に対応する図１１の（ｆ）の波形が順に印加されて前記の実施例と同様に駆動される。
【００３３】
前記実施例１のように信号電極側の電圧レベルを増やす代わりに、上記実施例のように走査電極側の電圧レベルを増やすようにすると、信号電極側のドライバの回路構成を簡略化できる等の利点がある。
【００３４】
〔実施例７〕
上記実施例６においても実施例２と同様に選択期間を１フレームＦ内で複数回に分けて実行することができる。
図１４はその一例を示すもので、上記図１３における選択期間Δｔを前記図４と同様に１フレームＦ内で３つに分けて表示データのビット毎に全ての走査電極について実行し、１つのビットが終わるまでを１フィールドｆとして１フレームＦ内で３回繰り返すようにしたものである。
なお本例においても前記図４の実施例と同様に、走査電極Ｘ１  に印加する電圧を各フィールド毎に正負を反転し、それに伴って信号電極Ｙ１  も正負反転させることによって１フレーム内で交流駆動させている。
【００３５】
〔実施例８〕
前記実施例６においても実施例３と同様に選択期間の分割数を増やして印加電圧レベル数を少なくすることができる。
図１５はその一例を示すもので、前記図１３における選択期間Δｔを前記図６と同様に１フレームＦ内で４つに分けて始めの２つの分割期間を上位ビットに対する印加時間に、他の分割期間をそれぞれ中間ビットおよび下位ビットに対する印加時間としたものである。
【００３６】
〔実施例９〕
上記実施例８においても選択期間を１フレームＦ内で複数回に分けて実行することができる。
図１６はその一例を示すもので、上記実施例８において４つに分割した選択期間毎に、それぞれを１フィールドｆとして１フレームＦ内で４回繰り返すようにしたものである。
なお本例においても前記図４の実施例と同様に、走査電極Ｘ１  に印加する電圧を各フィールド毎に正負を反転し、それに伴って信号電極Ｙ１  も正負反転させることによって１フレーム内で交流駆動させている。
【００３７】
〔実施例１０〕
前記実施例５のように電極への印加電圧の電圧値と印加時間とを適宜組み合わせることによって所望の階調表示を行う場合においても前記実施例６と同様に信号電極側の電圧レベルを増やす代わりに走査電極側の電圧レベルを増やすことによって実施例５と同様に駆動させることができる。
図１７はその一例を示すもので、前記図８における表示データの上位２つのビットに対する走査電極への印加電圧レベルはＶＸ４、下位２つのビットに対する印加電圧のレベルはＶＸ１とし、それに対する信号電極への印加電圧レベルはＶＹ１と−ＶＹ１のみとして表示データが０か１かで極性を異ならせたものである。
【００３８】
〔実施例１１〕
前記実施例１においては走査電極への印加電圧波形を１フレーム毎に極性（正負）を反転させることによって、いわゆる交流駆動させるようにしたが、１フレーム内で交流駆動することもできる。
図１８はその一例を示すもので、各走査電極Ｘ１  …には、それぞれ負の走査電圧−ＶＸ１と正の走査電圧ＶＸ１とを１フレーム内で１回ずつ続けて印加し、各信号電極には前記実施例１の図２と同様に前記図３の表示データに応じた信号電圧が印加されている。なお表示データの各ビットに対する信号電圧波形の配列順序は図２の場合と逆になっているが、同じにしてもよい。
また図１９に示すように走査電極への印加電圧が負側と正側とで、信号電圧波形の配列順序を逆にしてもよく、そのようにすると走査電極Ｘ１  と信号電極Ｙ１  との交点の画素に印加される電圧波形Ｘ１  −Ｙ１  を、図のように負側と正側とで対称形状にすることができる。
【００３９】
〔実施例１２〕
上記実施例１１のように１フレーム内で交流駆動する場合において各走査電極Ｘ１  …に印加した正負１サイクルの走査電圧波形を複数に分割し、それを適宜並べ変えて印加することもできる。
図２０は前記図１８において各々３つに分割した負側と正側とを１つずつ順に印加するようにして正負３サイクルの波形とし、それに合わせて信号電極の順番を入れ替えて印加するようにしたものである。
また上記図２０における３サイクルの走査電圧波形を、図２１に示すように各サイクル毎に分けて全ての走査電極が選択されるまでを１フィールドとし、１フレーム内で複数のフィールドに分けて駆動することもできる。
【００４０】
〔実施例１３〕
また前記実施例１１のように１フレーム内で交流駆動する場合においても、前記実施例３と同様に１選択期間の分割数を増やして印加電圧レベルを少なくすることができる。
図２２はその一例を示すもので、走査電極への印加電圧波形の正・負それぞれを４つに分割して正負各々について実施例３と同様の要領で表示データに応じた信号電圧を信号電極に印加するようにしたものである。なお表示データの各ビットに対する信号電圧波形の配列順序は実施例３の場合と逆になっているが、同じにしてもよい。
また図２３に示すように走査電極への印加電圧が負側と正側とで、信号電圧波形の配列順序を逆にしてもよく、そのようにすると走査電極Ｘ１  と信号電極Ｙ１  との交点の画素に印加される電圧波形Ｘ１  −Ｙ１  を、図のように負側と正側とで対称形状にすることができる。
【００４１】
〔実施例１４〕
上記実施例１３においても各走査電極Ｘ１  …に印加した正負１サイクルの走査電圧波形を複数に分割し、それを適宜並べ変えて印加することができる。
図２４は前記図２２における走査電極を正負各々４分割して負側と正側とを１つずつ順に並べて４サイクルの波形とし、それに合わせて信号電極の順番を入れ替えて印加するようにしたものである。
また上記図２４における上記４サイクルの走査電圧波形を、図２５に示すように各サイクル毎に分割し、その分割したサイクル毎に全ての走査電極が選択されるまでを１フィールドとして、１フレーム内で複数のフィールドに分けて駆動することもできる。
【００４２】
〔実施例１５〕
また前記実施例１１のように１フレーム内で交流駆動する場合においても、前記実施例６と同様に走査電極に印加する電圧レベルを変えて階調表示を行うこともできる。
図２６はその一例を示すもので、走査電極Ｘ１  …には電圧値の異なる３つの走査電圧ＶＸ１、ＶＸ２、ＶＸ４を負・正それぞれ順に印加し、信号電極Ｙ１  …には前記実施例６と同様に表示データに応じた信号電圧を印加するようにしたものである。なお波形の配列順序は前記実施例６の場合と逆になっているが、同じにしてもよい。
また走査電極への印加電圧が負側と正側とで、電圧波形の配列順序を逆にすることによって前記図２３の場合と同様に画素に印加される電圧波形を負側と正側とで対称形状にすることもできる。
【００４３】
〔実施例１６〕
上記実施例１５においても各走査電極Ｘ１  …に印加した正負１サイクルの走査電圧波形を複数に分割し、それを適宜並べ変えて複数のサイクルにしてもよく、図２７は前記図２６の走査電圧を３サイクルの波形とし、それに合わせて信号電極に印加する電圧を入れ替えたものである。
また上記図２７における上記３サイクルの走査電圧波形を、図２８に示すように各サイクル毎に分割し、その分割したサイクル毎に全ての走査電極が選択されるまでを１フィールドとして、１フレーム内で複数のフィールドに分けて駆動することもできる。
【００４４】
〔実施例１７〕
また前記実施例１５のように走査電極に印加する電圧レベルを変え、かつ１フレーム内で交流駆動する場合においても、前記実施例３と同様に１選択期間の分割数を増やして印加電圧レベルを少なくすることができる。
図２９はその一例を示すもので、走査電極への印加電圧波形の正・負それぞれを４つに分割して正負各々について実施例３と同様の要領で表示データに応じた信号電圧を信号電極に印加するようにしたものである。なお表示データの各ビットに対する信号電圧波形の配列順序は実施例３の場合と逆になっているが、同じにしてもよい。
また走査電極への印加電圧が負側と正側とで、電圧波形の配列順序を逆にすることによって前記図２３の場合と同様に画素に印加される電圧波形を負側と正側とで対称形状にすることもできる。
【００４５】
〔実施例１８〕
上記実施例１７においても各走査電極Ｘ１  …に印加した正負１サイクルの走査電圧波形を複数に分割し、それを適宜並べ変えて複数のサイクルにしてもよく、図３０は前記図２９の走査電圧を４サイクルの波形に並べ替え、それに合わせて信号電極に印加する電圧を入れ替えたものである。なお例えば図３１のような波形に並べ替えることもできる。
また上記図３０における上記４サイクルの走査電圧波形を、図３２に示すように各サイクル毎に分割し、その分割したサイクル毎に全ての走査電極が選択されるまでを１フィールドとして、１フレーム内で複数のフィールドに分けて駆動することもできる。図３１についても同様である。
【００４６】
〔実施例１９〕
前記各実施例において走査電極への印加電圧と信号電極への印加電圧とを、ほぼ同じにすることもできる。
図３３はその一例を示すもので、前記実施例１と同じ駆動方法で走査電極に印加する電圧波形のピーク・トゥ・ピーク間の電圧を下げた場合について示している。
【００４７】
すなわち、走査電極への印加電圧波形の非選択電圧をＶ３  とＶ１０の２つのレベルとして、信号電極への印加電圧波形の電圧レベルを、Ｖ３  を中心にしてＶ０  、Ｖ１  、Ｖ２  、Ｖ４  、Ｖ５  、Ｖ６  の駆動電圧で発生するときと、Ｖ１０を中心にしてＶ７  、Ｖ８  、Ｖ９  、Ｖ１１、Ｖ１２、Ｖ１３の駆動電圧で発生するように駆動することによって、走査電極に印加するピーク・トゥ・ピーク電圧と、信号電極に印加するピーク・トゥ・ピーク電圧とがほぼ同じになるようにした場合の一例である。そして、各画素にかかる電圧は実施例１の図２と同じになる。
【００４８】
なお上記の考え方は前記実施例１に限らず、他の実施例についても適用可能であり、上記と同様の要領で走査電極への印加電圧波形と信号電極への印加電圧波形の電圧をほぼ同じにすることができる。
また前記の各実施例においては、８階調もしくは１６階調を例にして説明したが、それ以外の階調数で表示する場合にも適用できる。
【００４９】
さらに以上の階調表示は、本出願人が先に特願平４−１４３４８２号および特願平４−１２３６２３号において提案した駆動方式、すなわち走査電極を有する基板と、信号電極を有する基板間に液晶を介在させてなる液晶素子等をマルチプレックス駆動する場合に、順次複数本の走査電極を同時に選択し、かつその選択期間を１フレーム期間の中で複数回に分けて電圧を印加する方式にも適用することができる。
【００５０】
【発明の効果】
以上説明したように本発明による液晶素子の駆動方法は、走査電極を選択する選択期間を複数の期間に分割して、その各分割された選択期間に、上記走査電極に走査電圧を印加し、上記選択期間を分割した期間は１フレーム内に分けて配置され、当該各分割された選択期間に、表示データの値に応じて４以上の異なる電圧値の中から選択した電圧を、前記信号電極に印加して階調表示を行うようにしたから、繰り返し周期が長くなってチラツキが生じたり、印加電圧波形のなまりによるクロストークの発生が防止され、良好な階調表示が得られる等の効果がある。
【図面の簡単な説明】
【図１】（ａ）〜（ｈ）は各階調毎の信号電極への印加電圧波形の一例を示す図。
【図２】本発明の一実施例を示す印加電圧波形図。
【図３】表示データの一例を示す図。
【図４】本発明の他の実施例の印加電圧波形図。
【図５】（ａ）〜（ｈ）は各階調毎の信号電極への印加電圧波形の他の例を示す図。
【図６】本発明の他の実施例の印加電圧波形図。
【図７】本発明の他の実施例の印加電圧波形図。
【図８】（ａ）〜（ｐ）は各階調毎の信号電極への印加電圧波形の他の例を示す図。
【図９】本発明の他の実施例の印加電圧波形図。
【図１０】表示データの他の例を示す図。
【図１１】走査電極に印加する電圧の波形図。
【図１２】（ａ）〜（ｈ）は各階調毎の信号電極への印加電圧波形の他の例を示す図。
【図１３】本発明の他の実施例の印加電圧波形図。
【図１４】本発明の他の実施例の印加電圧波形図。
【図１５】本発明の他の実施例の印加電圧波形図。
【図１６】本発明の他の実施例の印加電圧波形図。
【図１７】本発明の他の実施例の印加電圧波形図。
【図１８】本発明の他の実施例の印加電圧波形図。
【図１９】本発明の他の実施例の印加電圧波形図。
【図２０】本発明の他の実施例の印加電圧波形図。
【図２１】本発明の他の実施例の印加電圧波形図。
【図２２】本発明の他の実施例の印加電圧波形図。
【図２３】本発明の他の実施例の印加電圧波形図。
【図２４】本発明の他の実施例の印加電圧波形図。
【図２５】本発明の他の実施例の印加電圧波形図。
【図２６】本発明の他の実施例の印加電圧波形図。
【図２７】本発明の他の実施例の印加電圧波形図。
【図２８】本発明の他の実施例の印加電圧波形図。
【図２９】本発明の他の実施例の印加電圧波形図。
【図３０】本発明の他の実施例の印加電圧波形図。
【図３１】本発明の他の実施例の印加電圧波形図。
【図３２】本発明の他の実施例の印加電圧波形図。
【図３３】本発明の他の実施例の印加電圧波形図。
【図３４】従来の階調表示の一例を示す印加電圧波形図。
【符号の説明】
Ｘ１  、Ｘ２  …  走査電極
Ｙ１  、Ｙ２  …  信号電極
ｆ、ｆ１  、ｆ２  …    フィールド
Ｆ、Ｆ１  、Ｆ２  …    フレーム
【図１】
0003584045.tif 000002
【図２】
0003584045.tif 000003
【図３】
0003584045.tif 000004
【図４】
0003584045.tif 000005
【図５】
0003584045.tif 000006
【図６】
0003584045.tif 000007
【図７】
0003584045.tif 000008
【図８】
0003584045.tif 000009
【図９】
0003584045.tif 000010
【図１０】
0003584045.tif 000011
【図１１】
0003584045.tif 000012
【図１２】
0003584045.tif 000013
【図１３】
0003584045.tif 000014
【図１４】
0003584045.tif 000015
【図１５】
0003584045.tif 000016
【図１６】
0003584045.tif 000017
【図１７】
0003584045.tif 000018
【図１８】
0003584045.tif 000019
【図１９】
0003584045.tif 000020
【図２０】
0003584045.tif 000021
【図２１】
0003584045.tif 000022
【図２２】
0003584045.tif 000023
【図２３】
0003584045.tif 000024
【図２４】
0003584045.tif 000025
【図２５】
0003584045.tif 000026
【図２６】
0003584045.tif 000027
【図２７】
0003584045.tif 000028
【図２８】
0003584045.tif 000029
【図２９】
0003584045.tif 000030
【図３０】
0003584045.tif 000031
【図３１】
0003584045.tif 000032
【図３２】
0003584045.tif 000033
【図３３】
0003584045.tif 000034
【図３４】
0003584045.tif 000035